(57)【特許請求の範囲】
【請求項１】
少なくとも背面部が開口された外装ケースと、該外装ケースの背面部から挿入可能な基体と、側面にガスセンサーの挿入が可能な窓が、また背面にポンプユニットとの接続手段が形成され、かつ少なくとも底部が前記基体にガイドされる取付け枠と、前記枠体に固定され前記ポンプユニットに接続ユニットを介して連通し、かつ前記ガスセンサーのガス取入口と着脱可能に係合するセンサー装着具と、前記取付け枠と前記ポンプユニットの背面部とに弾性的に進退可能に係合する第１の固定具と、前記取付け枠と前記ガスセンサーの背面部とに弾性的に進退可能に係合する第２の固定具とからなるラック組込型ガス警報装置。
【発明の詳細な説明】
【０００１】
【発明の属する技術分野】
本発明は、複数の被測定現場のガス濃度を中央監視所において集中的に管理するガス警報装置、より詳細にはラックに集約的にマウントして使用されるガス警報装置に関する。
【０００２】
【従来の技術】
複数のガス警報装置をラックにマウントして集中的にガス濃度を管理する装置は、通常、監視現場のエアをサンプリングするためのポンプユニット、ガスセンサー、信号処理回路基板、及び表示手段を函体に収容したユニットとして構成されている。
監視現場によってはこのようなユニットを数十以上ラックに収容して監視システムが構築されているため、監視システムの信頼性を維持する上で、システムをダウンさせることなく個々のガス警報装置のメンテナンスを実施できることが重要である。
【０００３】
【発明が解決しようとする課題】
しかしながら、このような装置は、可及的に容積の小さなケースに収容して、設置面積の低減を図る必要上、故障や不都合が生じ易いポンプユニットやガスセンサーの交換に特殊な工具を必要としたり、また作業に困難性が伴うという問題がある。
本発明はこのような事情に鑑みてなされたものであって、その目的とするところは、特別な工具を必要とすることなく、比較的容易に部品を交換することができるラック組込型のガス警報装置を提供することである。
【０００４】
【課題を解決するための手段】
このような問題を解消するために本発明においては、少なくとも背面部が開口された外装ケースと、該外装ケースの背面部から挿入可能な基体と、側面にガスセンサーの挿入が可能な窓が、また背面にポンプユニットとの接続手段が形成され、かつ少なくとも底部が前記基体にガイドされる取付け枠と、前記枠体に固定され前記ポンプユニットに接続ユニットを介して連通し、かつ前記ガスセンサーのガス取入口と着脱可能に係合するセンサー装着具と、前記取付け枠と前記ポンプユニットの背面部とに弾性的に進退可能に係合する第１の固定具と、前記取付け枠と前記ガスセンサーの背面部とに弾性的に進退可能に係合する第２の固定具とを備えるようにした。
【０００５】
【作用】
メンテナンスの頻度が高いガスセンサー、及びポンプユニットが、進退可能な固定具により取付け枠に弾性的に保持され、また取付け枠も基体に対して進退可能であるから、取付け枠を基体から引出して固定具を取り外すことにより、センサー及びポンプを取付け枠から工具を必要とすることなく取り外すことができる。
【０００６】
【発明の実施の態様】
そこで以下に本発明の詳細を図示した実施例に基づいて説明する。
図１は、本発明の一実施例を示すものであって、ポンプユニット、ガスセンサー、信号処理回路基板、及び表示手段等を収容した外装ケース１は、ラックに収容されたとき、露出面となる前面に、内蔵しているデスプレイ手段３を操作可能とするカバー２や、流量計２２の表示面を露出させる窓５が設けられ、把持部付きネジ６により前面下部で後述する基体８の固定用突起１１ａに固定されている。
【０００７】
次に、図２乃至図４に基づいてケース内の構造について説明する。
図２は、外装ケース１と一体になって函体を構成する基体８の一実施例を示すものであって、基体８は、外装ケース１の裏蓋部１０、及び基台１１を構成し、かつ側面には外装ケース１の位置決め部材と補強部材とを兼ねる壁部１２を備えた略「Ｌ」字状に金属をプレス加工して構成されている。なお、裏蓋部１０の下部の側面には略「Ｌ」字状の爪１２ａ、１２ａが突出するように形成されていて、外装ケース１の開口側、つまり背面側のスリット１ａ、１ａと係合して両者の係合位置を規定するように構成されている。
【０００８】
裏蓋部１０には外部装置との電気接続を行う端子板１３がネジ止めされている。一方、基台１１には貫通孔１４、１５、１６が穿設されていて、ケーブル引き込み保護具１７やポンプユニット等に接続する第１の流路ユニット２０との接続具１８、１９が貫通固定されている。
【０００９】
これら接続具１８、１９の上端１８ａ、１９ａには、２つの流路２０ａ、２０ｂが形成された第１の接続ユニット２０の接続口２０ｃ、２０ｄが接続され、第２の接続ユニット２１を介して流量計２２、及びガスセンサー２３に連通される。
【００１０】
第２の接続ユニット２１は、第１の接続ユニット２０のそれぞれの流路２０ａ、２０ｂに接続される２つの流路２１ａ、２１ｂが形成され、水平に延びる背面側の先端にはそれぞれ第１の接続ユニット２０の接続口２０ｅ、２０ｆに気密的かつ装脱可能に嵌合するテーパ部２１ｃ、２１ｄが形成されている。
【００１１】
一方、前面側の流路２１ａは、水平に延ばされてガスセンサー装着口２４ａを備えたセンサー装着具２４に接続され、また他方の流路２１ｂは上方に立ち上げられてポンプユニット３０の吐出口ｂに連通されている。
【００１２】
図３は、基体８に着脱可能に取付けられ、各部材が組み付けられる取付け枠７の一実施例を示すものであって、取付け枠７は、少なくとも一方の側面が後述するガスセンサー２３の挿入が可能な窓７ａと、また前側にはガスセンサー装着具２４のセンサー装着口２４ａを開放できる窓７ｂが形成されている。
ガスセンサー装着具２４は、ガスセンサー２３のガス取入口２６と連通する空洞が形成されていて、この空洞に連通し、かつ第２の接続ユニット２１の流路２１ａの開口２１ｅと接続する位置とは同一線上に位置しない領域の上部に開口する接続固定口２４ｂが形成されている。
【００１３】
流量計２２は、これを構成する流路管２７が、その上端２７ａをポンプユニット３０の吸引口３０ａに連通し、蓋体２５ａで封止された室２５ｂを備えた基台２５の接続固定口２５ｃに、また下端をフィルタ２８を介装されて接続具２９を介して接続固定口２４ｂに固定されている。
【００１４】
ポンプユニット３０は、この実施例においては電磁振動体３１と、これにより往復駆動されるダイヤフラムポンプ３２とを、その吸引口３０ａ、吐出口３０ｂを突出させて枠体３３に固定して構成されている。このポンプユニット３０は、第１の固定具３４を介して取付け枠７に着脱可能に固定され、また前面には吸引口３０ａ、吐出口３０ｂに接続されたポンプ接続ユニット３５が配置されている。
【００１５】
第１の固定具３４は、枠体３３の背面に当接する本体部３４ａと、本体部３４ａの両側から突出し、取付け枠７の長孔に係合する第１の把持部３４ｂと、取付け枠７の爪７ｄに係合する第２の把持部３４ｃとにより構成されている。第１の把持部３４は、剛性を維持できるように比較的短く、また第２の把持部３４ｃは、両側（図中、上側、下側）に枝部を形成するように窓３４ｄを設けて第１の把持部３４ｂに比較して弾性変形しやすく構成されている。これにより、第１の把持部３４ｂを取付け枠７の長孔を支点として固定部材３４を水平面内で回動させて枠体３３の領域から進退させることが可能となり、ネジ等の固定手段を必要とすることをなくポンプユニット３０を容易に固定し、また容易に取り外すことができる。
【００１６】
接続ユニット３５は、背面側で吸引口３０ａ、吐出口３０ｂと係合するポンプ接続口を備え、また前面側では上向き、及び下向きの接続開口３６ａ、３７ａを有する流路３６、３７を備え、ポンプユニット３０を第２の流路ユニット２１と流量計２２とに接続している。
【００１７】
センサー２３は、その側面に作動電力の供給や検出信号の取り出しのためのコネクタピン４０が取付けられている。センサー回路ユニット４１は、回路基板４２に所要の回路を実装して一端側にコネクタピン４０と接続するソケット４３が、他端に信号処理ユニット４４のソケット４５と接続するコネクタピン４６を設けて構成され、ネジ４７によりセンサー２３の側面に固定されている。
【００１８】
これらの部材は、要所を取付け枠７に取付けられている。なお、取付け枠７は、必要に応じて突起７ｅを介して基体８の取付け突起１１ｂにネジ止めされている。センサー２３は、そのガス取入口２６をガスセンサー装着具２４の開口にパッキン５０、５１を介して挿入された状態で、第２の固定具５２により取付け枠７に固定されている。
【００１９】
金具５２は、前面側には取付け枠７の取付け孔７ｃに係合する第１の腕５２ａと、奥側にはセンサー４０の背面に当接する第２の腕５２ｂとを備えるように、金属板材をプレス加工により略「コ」の字状に形成して構成され、腕５２ａにより取付け枠７で決まる基準位置を保持しつつ、第２の腕５２ｂの弾性によりセンサー２３をガスセンサー装着具２４に弾圧、固定している。なお、図中符号６０は、爪６０ａを介して取付け枠７に一側側が半固定された絶縁カバーを示す。
【００２０】
また、取付け枠７の上面には図４に示したように、信号処理ユニット４４が保護板５４に挟まれるようにネジにより固定され、また保持用電池５５が固定部５６に両面接着テープ５７により取り外し可能に取付けられている。
【００２１】
この実施例において、取付け枠７の前面にセンサー装着具２４をネジ６１により固定し、流量計２２等を固定する。次いで取付け枠７の側方の窓７ａからガスセンサー２３を他方の側に押し込んでガス取入口２６をセンサー装着口２４ａに対向させて手前側に押し込む。この状態で第２の固定具５２の第１の腕５２ａを取付け枠７の取付け孔７ｃに係合させて奥に押し込むと、腕５２ａが取付け枠７の取付け孔７ｃにガイドされて移動し、この過程で第２の腕５２ｂが弾性変形してセンサー２３の背面を乗り越え、ガスセンサー２３をガスセンサー装着具２４に弾圧状態で固定する。
【００２２】
一方、接続ユニット３５を介して取付け枠７の規定位置に押し込むと、ポンプユニット３０は、第２の流路ユニット２１を介してガスセンサー装着具２４や流量計２２に接続される。ついで、第１の固定具３４の第１の把持部３４ｂを取付け枠７に係合させて回動させると、第２の把持部３４ｃが弾性変形しながら枠体３３を乗り越え取付け枠７の爪７ｄに係合してポンプユニット３０を取付け枠７に固定する。
【００２３】
さらに、第２の接続ユニット２１や、信号処理ユニット４４を取付け枠７の取付けた後、端子板１３や第１の接続ユニット２０等が固定された基体８に設けられた平行な２つの案内用の長孔１１ｃに、取付け枠７の底面の突起を位置合せして押し込むと、信号処理ユニット４４の接続端子４４ａが端子板１３のソケット１３ａに、また第２の接続ユニット２１の先端のテーパ部２１ｃ、２１ｄが第１の接続ユニット２０の接続口２０ｅ、２０ｆに進入する。基体８の長孔１１ｃや突起１１ｄで規制される位置まで押し込んだ状態で、ケース１を挿入してネジ６により取付け枠７の固定用突起１１ａに固定する。
【００２４】
また、メンテナンスが必要となった場合には、ネジ６を外してケース１を取り外した状態で取付け枠７を手前に引くと、取付け枠７は長孔１１ｃにガイドされ、所定位置まで到達すると、基体８に形成された奥側に開いた爪１１ｅに係合して移動が阻止される。これにより、取付け枠７やこれに取付けられているユニット類が基台１１の支持を失って落下するのが防止される。なお、取付け枠７等を基台１１から完全に取り外したい場合には、爪１１ｅに係合する以前に取付け枠７を若干持ち上げて爪１１ｅを乗り越えさせることによりこれとの係合を避けることができる。
【００２５】
これにより、たとえ隣接して同類の装置が配置されていても、落下を気にすることなくメンテナンス作業に専念できる。そして、ガスセンサー２３やポンプユニット３０を取り外す場合には、第２の固定具５２や、第１の固定具３４を固定時とは逆の方向に操作して取付け枠７との係合を解けばよい。
【００２６】
【発明の効果】
以上、説明したように本発明においては、少なくとも背面部が開口された外装ケースと、該外装ケースの背面部から挿入可能な基体と、側面にガスセンサーの挿入が可能な窓が、また背面にポンプユニットとの接続手段が形成され、かつ少なくとも底部が前記基体にガイドされる取付け枠と、枠体に固定されポンプユニットに接続ユニットを介して連通し、かつガスセンサーのガス取入口と着脱可能に係合するセンサー装着具と、取付け枠とガスセンサーの背面部とに弾性的に進退可能に係合する第１の固定具と、取付け枠とポンプユニットの背面部とに弾性的に進退可能に係合する第２の固定具とを備えたので、メンテナンスの頻度が高いガスセンサー、及びポンプユニットを、取付け枠を基体から引出した状態で、固定具を取付け枠に対して進退させるだけで、工具を必要とすることなく取り外すことができる。
【図面の簡単な説明】
【図１】図（イ）、（ロ）は、それぞれ本発明のラック組込型ガス警報装置の一実施例を示す斜視図と、ケースを取り外した状態で示す正面図である。
【図２】同上装置を構成する基台と、これに取付けられる流路ユニットの構造を示す組立斜視図である。
【図３】同上装置を構成する取付け枠と、これに固定される部材の内、後部側に位置する部材の組立斜視図である。
【図４】同上装置を構成する取付け枠と、これに固定される部材の内、上部側に位置する部材の組立斜視図である。
【符号の説明】
１  外装ケース
７  取付け枠
８  基体
２０  第１の流路ユニット
２１  第２の接続ユニット
２２  流量計
２３  ガスセンサー
２４  ガスセンサー装着具
３０  ポンプユニット
３４  第１の固定具
４１  センサー回路ユニット
４４  信号処理ユニット
５２  第２の固定具
【図１】
0003591637.tif 000002
【図２】
0003591637.tif 000003
【図３】
0003591637.tif 000004
【図４】
0003591637.tif 000005